(57)【要約】【課題】印刷開始時及び印刷中にウェブを均一に搬送させるウェブ張力付与機構を提供することを課題とする。【解決手段】ウェブ搬送機構と、該搬送機構の上流側に設けられたウェブに張力を与えるウェブ張力付与機構とを有し、前記ウェブ張力付与機構は、回動可能なアームと、該アームの先端に支持されてウェブに張力を付与するドラムと、及び前記アームに対してウェブの搬送方向と反対方向に揺動力を付与するバネとを有するウェブ搬送装置において、前記ドラムをウェブの搬送方向に移動可能に支持し、かつ前記ドラムをウェブに向かって押圧するバネを備えた。【選択図】　図２
2004075202.tif 000002
【特許請求の範囲】
【請求項１】
ウェブ搬送機構と、該搬送機構の上流側に設けられたウェブに張力を与えるウェブ張力付与機構とを有し、前記ウェブ張力付与機構は、回動可能なアームと、該アームの先端に支持されてウェブに張力を付与するドラムと、及び前記アームに対してウェブの搬送方向と反対方向に揺動力を付与するバネとを有するウェブ搬送装置において、前記ドラムをウェブの搬送方向に移動可能に支持し、かつ前記ドラムをウェブに向かって押圧するバネを備えたことを特徴とするウェブ搬送装置。
【発明の詳細な説明】
【０００１】
【発明の属する技術分野】
本発明は、連続紙印刷装置におけるウェブ搬送装置に関するものである。
【０００２】
【従来の技術】
従来の印刷装置の概略を図４を用いて説明する。給紙装置（図示せず）から送り出されたウェブＷは、搬送ローラ２０に案内されウェブＷを一時的に蓄える蓄積部に送り込まれる。蓄積部のウェブＷの搬出部にはエッジを規制する一対のガイド部材２１がウェブ端部に各々設けられている。次にウェブＷはウェブ張力付与機構１に送り込まれ、ガイドシャフト１３、ガイド７を経て主にウェブＷを搬送する搬送ローラ８、９によって印写部１６、定着装置１７に送り込まれる。搬送ローラ９は駆動源を持つ駆動ローラとして設けられており、搬送ローラ８はバネの弾性力によってウェブＷを介して搬送ローラ９に圧接された従動ローラとして設けられている。
【０００３】
次に図３を用いて従来のウェブ張力付与機構１の具体的な構成を説明する。ウェブ張力付与機構１は、支持ローラ２と、これに圧接して設けられた押圧ローラ３及びドラム４ａと、ドラム４ａを自由端に固定し回動可能に支持されウェブ端部に各々設けられたアーム５と、（以下、ドラム４ａとアーム５を一体に構成したものテンションアーム４という）ウェブＷにドラム４ａを付勢するためのバネ６を有している。
【０００４】
ウェブ張力付与機構１において押圧ローラ３は板バネ３ａを介してシャフト１０に固定されており、板バネ３ａの弾性力により支持ローラ２に押圧される構成になっている。シャフト１０の印刷装置正面側の端部には、レバー１４とネジ１５が設置されている。ネジ１５のツマミを回すことによって、ウェブＷの張力を任意に調整可能である。ネジ１５を右に回すと押圧ローラ３が支持ローラ２に強く当る。つまり、ウェブＷに与える負荷が増加しウェブの張力が増す。左に回すと、押圧ローラ３が支持ローラ２に弱く当る。つまり、ウェブＷに与える負荷が減少し、ウェブの張力が減少する。テンションアーム４のドラム４ａの位置により、ウェブＷの張力の強弱が目視可能である。ウェブＷの張力が弱い場合は、バネ６を伸ばすことができず、ドラム４ａの位置は左側になる。逆に強い場合はバネ６を伸ばす方向に張力が働き、右側になる。ユーザは、ウェブＷの種類の違いにより、ドラム４ａの位置を確認し、ネジ１５にてドラム４ａの位置を確認することにより、適切な張力が高精度に設定可能となる。図の位置はウェブＷが掛っていない時の状態でドラム４ａの自重によりフレーム（図示せず）に取付けられたゴムストッパ１８にアーム５の間に設けられたシャフト５ａが当接することにより保持されている。テンションアーム４は、回転中心４ｂを持ち、印刷開始時にウェブＷとドラム４ａの当接する衝撃により振幅し、やがて一定の時間を経てテンションアーム４とウェブＷの張力が釣り合う状態に収束する。
【０００５】
印刷終了時にウェブ搬送装置はウェブＷに対し、以下の制御を行っている。ウェブＷにおける印刷開始位置を一定にするため、転写点を基準にウェブ搬送装置に設けられているウェブ搬送モータ（図示せず）が停止した位置からウェブ搬送モータを逆回転させてウェブＷを一定量戻している。
【０００６】
しかし、走行しているウェブＷを停止させ、戻し動作に入るまでの時間にテンションアーム４により上流側のウェブＷが押し上げられ弛みが生じてしまっていた。これは、テンションアーム４にウェブＷの張力が掛らなくなったため、テンションアーム４の自重で下がる際にウェブＷを引っ張り上げてしまうからである。この状態、つまりウェブＷとドラム４ａの間に弛みが生じている状態で印刷を開始するとウェブ搬送機構によりウェブＷが搬送されドラム４に当接する衝撃でウェブＷの搬送が妨げられてウェブＷの均一な搬送ができず、転写点においてもウェブＷのぶれが生じひいては、印刷品質にぶれとして発生してしまっていた。
【０００７】
さらに前述の如く、ウェブＷがドラム４ａに当接する衝撃によりテンションアーム４に振幅が発生する。この振幅はウェブＷの張力とテンションアーム４が釣り合い、収束するまで印刷中においても継続し、ウェブＷの張力変化となりウェブＷのぶれ、ひいては印刷品質にぶれとして発生していた。
【０００８】
【発明が解決しようとする課題】
印刷開始時にウェブとウェブ張力付与機構の間でウェブが弛んだ状態から印刷を開始させるとウェブがウェブ張力付与機構の一部であるドラムと当接する際の衝撃は避けられず、ウェブの均一な搬送ができず、転写点でぶれとなって発生していた。
【０００９】
本発明の課題は、印刷開始時及び印刷中にウェブを均一に搬送させるウェブ張力付与機構を提供することである。
【００１０】
【課題を解決するための手段】
上記の目的は、ドラムをウェブの搬送方向に移動可能に支持し、かつ前記ドラムをウェブに向かって押圧するバネを備えることにより達成される。
【００１１】
【発明の実施の形態】
次に本発明の実施例を図１、２で説明する。図１、２において、図３と同一部分は同一符号で示してある。
【００１２】
本発明は、ウェブ張力付与機構１００のアーム５１に、ドラム４ａをウェブＷの搬送方向Ａと反対に付勢する圧縮コイルバネ１１を設けたことが特徴である。図１において、印刷終了時にウェブＷは二点鎖線の状態となるように圧縮コイルバネ１１の自由長を決定している。ドラム４ａは圧縮コイルバネ１１の加圧力によりウェブＷに微少の張力を掛け、弛みを無くしている。１２は軸受である。
【００１３】
図２において印刷が開始するとウェブＷは搬送方向Ａに引っ張られ張力が増加しドラム４ａに、より強い力がかかる。しかしながらドラム４ａは圧縮コイルバネ１１を介している為、ドラム４ａとの衝撃が皆無に等しく、搬送速度を均一に保たれながらドラム４ａはウェブＷの張力と釣り合う位置に移動し安定する。この時、圧縮コイルバネ１１のドラム４ａにかかる加圧力はウェブＷの張力より小さくなるように圧縮コイルバネ１１を設定しており、ウェブＷの搬送時においてドラム４ａはウェブＷの走行を妨げないようになっている。
【００１４】
また、ウェブ張力付与機構１００は印刷開始時及び印刷中はドラム４ａの自重によりフレーム（図示せず）に取付けられたゴムストッパ１８にア−ム５１の間に設けられたシャフト５ａが当接することにより保持されている。バネ６は、ある突発的にテンションローラ４１にかかった多大な力を想定して、圧縮コイルバネ１１、テンションローラ４１の破損を防ぐために設けている。
【００１５】
印刷開始時にウェブＷの張力がドラム４ａに作用し圧縮コイルバネ１１を圧縮する力よりも、テンションアーム４１を持上げる力と逆方向に作用するバネ６の力を強く設定しているため、印刷開始時のウェブＷの当接による衝撃は全て圧縮コイルバネ１１により緩和される。このため、テンションアーム４１全体は衝撃による力を受ける事がなく、振幅することがない。つまり、従来のウェブ張力付与機構のようにテンションアーム４１が振幅するときに生じるウェブＷの張力の変化が少なく、ウェブＷの搬送速度を均一に保ち、転写点でのぶれの無い良好な印刷品質を得られる。
【００１６】
【発明の効果】
以上、述べたように本発明によれば、ウェブ張力付与機構にウェブ搬送方向と反対方向に圧縮コイルバネにて付勢されたドラムを設けたことにより、印刷終了時にウェブの弛みを無くし、印刷開始時における衝撃の発生を防ぐことによりウェブの搬送を均一に保ち、転写点でのぶれの無い良好な印刷品質を得ることが可能である。
【図面の簡単な説明】
【図１】本発明のウェブ張力付与機構の印刷終了時の状態を示す概略図。
【図２】本発明のウェブ張力付与機構の印刷中の状態を示す概略図。
【図３】従来のウェブ張力付与機構の印刷終了時の状態を示す概略図。
【図４】ウェブ張力付与機構を搭載した印刷装置の一例を示す模式図。
【符号の説明】
２…支持ローラ、３…押圧ローラ、４ａ…ドラム、５ａ…シャフト、６…バネ、７…ガイド、８、９…搬送ローラ、１０…シャフト、１１…圧縮コイルバネ、１２…軸受、１３…ガイドシャフト、１４…レバー、１５…ネジ、１６…印写部、１７…定着装置、１８…ゴムストッパ、１９…センサ、２０…搬送ローラ、２１…エッジガイド、４１…テンションアーム、５１…アーム、１００…ウェブ張力付与機構、Ｗ…ウェブ、Ｐ…印刷装置。
【図１】
2004075202.tif 000003
【図２】
2004075202.tif 000004
【図３】
2004075202.tif 000005
【図４】
2004075202.tif 000006